(57)【要約】【課題】事前に音源を用意せずに、着信側端末の現在位置に対応するリングバックトーンを出力する。【解決手段】無線電話機を収容する交換機を備える無線電話システムであって、前記無線電話機からリングバックトーンとして再生するための音響信号を生成する再生装置と、前記無線電話機の位置を取得する測位装置と、テキストデータを読み上げて音声データに変換する変換装置と、を備え、前記再生装置は、前記交換機からリングバックトーンを要求されると、着信側の前記無線電話機の位置を前記測位装置に要求し、前記測位装置は、前記測定された着信側無線電話機の位置を取得し、前記取得した位置を示すテキストデータを生成し、前記変換装置は、前記測位装置によって生成されたテキストデータを音声データに変換し、前記再生装置は、前記変換装置によって変換された音声データを、リングバックトーンとして発信側の前記無線電話機に送信する。【選択図】図１
2011244299.tif 000002
【特許請求の範囲】
【請求項１】
無線電話機を収容する交換機を備える無線電話システムであって、
前記無線電話機からリングバックトーンとして再生するための音響信号を生成する再生装置と、
前記無線電話機の位置を取得する測位装置と、
テキストデータを読み上げて音声データに変換する変換装置と、を備え、
前記再生装置は、前記交換機からリングバックトーンを要求されると、着信側の前記無線電話機の位置を前記測位装置に要求し、
前記測位装置は、前記測定された着信側無線電話機の位置を取得し、前記取得した位置を示すテキストデータを生成し、
前記変換装置は、前記生成されたテキストデータを音声データに変換し、
前記再生装置は、前記変換装置によって変換された音声データを、リングバックトーンとして発信側の前記無線電話機に送信することを特徴とする無線電話システム。
【請求項２】
前記無線電話システムは、さらに、前記無線電話機の過去の位置を記録する履歴格納部を備え、
前記測位装置は、前記着信側無線電話機の位置を取得できない場合、前記着信側無線電話機の過去の位置を前記履歴格納部から取得し、前記取得した過去の位置を示すテキストデータを生成することを特徴とする請求項１に記載の無線電話システム。
【請求項３】
前記無線電話システムは、さらに、前記無線電話機の過去の位置を記録する履歴格納部を備え、
前記測位装置は、前記測定された着信側無線電話機の位置が異常である場合、前記着信側無線電話機の過去の位置を前記履歴格納部から取得し、前記取得した過去の位置を示すテキストデータを生成することを特徴とする請求項１に記載の無線電話システム。
【請求項４】
前記無線電話システムは、さらに、前記無線電話機の過去の位置を記録する履歴格納部を備え、
前記交換機は、前記着信側無線電話機が通信可能な状態であるか否かを判定し、
前記再生装置は、前記交換機によって前記着信側無線電話機が通信可能であると判定された場合、前記着信側無線電話機の過去の位置を前記履歴格納部から取得し、前記取得した過去の位置を示すテキストデータを生成することを特徴とする請求項１に記載の無線電話システム。
【請求項５】
前記無線電話システムは、前記無線電話機の位置を通知するか否かの情報を記録する加入者データ格納部を、さらに備え、
前記再生装置は、
前記交換機からリングバックトーンを要求されると、前記着信側の無線電話機の位置を前記発信側の無線電話機に通知するか否かを示す通知可否情報を、前記加入者データ格納部から取得し、
前記通知可否情報が、前記着信側の無線電話機の位置を前記発信側の無線電話機に通知することを示す場合、前記着信側の無線電話機の位置を前記測位装置に要求し、
前記通知可否情報が、前記着信側の無線電話機の位置を前記発信側の無線電話機に通知しないことを示す場合、前記着信側の無線電話機の位置を含まない音響データを、リングバックトーンとして前記発信側の無線電話機に送信することを特徴とする請求項１に記載の無線電話システム。
【請求項６】
無線電話機を収容する交換機と、前記無線電話機からリングバックトーンとして再生するための音響信号を生成する再生装置と、前記無線電話機の位置を取得する測位装置と、テキストデータを読み上げて音声データに変換する変換装置と、を備える無線電話システムにおける位置通知方法であって、
前記再生装置は、前記交換機からリングバックトーンを要求されると、着信側の前記無線電話機の位置を前記測位装置に要求し、
前記測位装置は、前記測定された着信側無線電話機の位置を取得し、前記取得した位置を示すテキストデータを生成し、
前記変換装置は、前記生成されたテキストデータを音声データに変換し、
前記再生装置は、前記変換装置によって変換された音声データを、リングバックトーンとして発信側の前記無線電話機に送信することを特徴とする位置通知方法。
【請求項７】
前記無線電話システムは、さらに、前記無線電話機の過去の位置を記録する履歴格納部を備え、
前記方法は、前記着信側無線電話機の位置を取得できない場合、前記測位装置が、前記着信側無線電話機の過去の位置を前記履歴格納部から取得し、前記取得した過去の位置を示すテキストデータを生成することを特徴とする請求項６に記載の位置通知方法。
【請求項８】
前記無線電話システムは、さらに、前記無線電話機の過去の位置を記録する履歴格納部を備え、
前記方法は、前記測定された着信側無線電話機の位置が異常である場合、前記測位装置が、前記着信側無線電話機の過去の位置を前記履歴格納部から取得し、前記取得した過去の位置を示すテキストデータを生成することを特徴とする請求項６に記載の位置通知方法。
【請求項９】
前記無線電話システムは、さらに、前記無線電話機の過去の位置を記録する履歴格納部を備え、
前記方法は、
前記交換機は、前記着信側無線電話機が通信可能な状態であるか否かを判定し、
前記交換機によって前記着信側無線電話機が通信可能であると判定された場合、前記再生装置が、前記着信側無線電話機の過去の位置を前記履歴格納部から取得し、前記取得した過去の位置を示すテキストデータを生成することを特徴とする請求項６に記載の位置通知方法。
【請求項１０】
前記無線電話システムは、さらに、前記無線電話機の位置を通知するか否かの情報を記録する加入者データ格納部を備え、
前記方法は、
前記再生装置が、前記交換機からリングバックトーンを要求されると、前記着信側の無線電話機の位置を前記発信側の無線電話機に通知するか否かを示す通知可否情報を、前記加入者データ格納部から取得し、
前記通知可否情報が、前記着信側の無線電話機の位置を前記発信側の無線電話機に通知することを示す場合、前記再生装置は、前記着信側の無線電話機の位置を前記測位装置に要求し、
前記通知可否情報が、前記着信側の無線電話機の位置を前記発信側の無線電話機に通知しないことを示す場合、前記再生装置は、前記着信側の無線電話機の位置を含まない音響データを、リングバックトーンとして前記発信側の無線電話機に送信することを特徴とする請求項６に記載の位置通知方法。
【発明の詳細な説明】
【技術分野】
【０００１】
本発明は、無線電話システムに関し、特に、リングバックトーンを用いて着信側携帯電話機の位置を発信側携帯電話機へ通知する無線電話システムに関する。
【背景技術】
【０００２】
ＧＰＳ付き携帯電話の普及により、第三者からの測位要求に応じて自分の位置を要求者へ伝える位置測位サービスが普及している。一方、音声系のサービスとしては、着信者が選択した音楽をリングバックトーンとして発信者に聴かせるサービス（Ｍｕｓｉｃ  Ｒｉｎｇ  Ｂａｃｋ  Ｔｏｎｅサービス）が普及している。
【０００３】
また、着信側端末の現在位置に対応するリングバックトーンを出力するリングバックトーン制御装置が提案されている（例えば、特許文献１参照。）。
【先行技術文献】
【特許文献】
【０００４】
【特許文献１】特開２００６−７４１３３号公報
【発明の概要】
【発明が解決しようとする課題】
【０００５】
しかし、既存の第三者測位サービスは、特別な操作が必要であり、電話機の操作に慣れていない利用者が利用するのは困難であり、より簡単な操作で実現可能なサービスが求められている。
【０００６】
また、特許文献１に記載されたリングバックトーン制御装置は、ユーザ毎にエリア毎にリングバックトーンで再生するための音源の対応表を用意する必要があった。すなわち、再生される音源をユーザが予め作成しておく必要があり、このサービスを受けるためのユーザの準備が煩雑であった。さらに、ユーザ毎にエリア毎音源を記憶するため、音源を格納するために必要な記憶領域の容量が大きかった。
【０００７】
本発明は、事前に音源を用意することなく、着信側端末の現在位置に対応するリングバックトーンを出力することができる無線電話システムを提供することを目的とする。
【課題を解決するための手段】
【０００８】
本発明の代表的な一例を示せば以下の通りである。すなわち、無線電話機を収容する交換機を備える無線電話システムであって、前記無線電話機からリングバックトーンとして再生するための音響信号を生成する再生装置と、前記無線電話機の位置を取得する測位装置と、テキストデータを読み上げて音声データに変換する変換装置と、を備え、前記再生装置は、前記交換機からリングバックトーンを要求されると、着信側の前記無線電話機の位置を前記測位装置に要求し、前記測位装置は、前記測定された着信側無線電話機の位置を取得し、前記取得した位置を示すテキストデータを生成し、前記変換装置は、前記測位装置によって生成されたテキストデータを音声データに変換し、前記再生装置は、前記変換装置によって変換された音声データを、リングバックトーンとして発信側の前記無線電話機に送信する。
【発明の効果】
【０００９】
本発明の実施の形態によると、特別な操作を必要とせず、電話をかけて来た相手に、自動的に自分の居場所を教えることができる。さらに、位置と再生する音声（又は、音楽）との対応表を予め作成せずに、自分の居場所を発信者に教えることができる。
【図面の簡単な説明】
【００１０】
【図１】本発明の第１の実施の形態の携帯電話システムの構成を示すブロック図である。
【図２】本発明の第１の実施の形態の、リングバックトーンによって着信側携帯電話機の位置を知らせる処理のシーケンス図である。
【図３】本発明の第２の実施の形態の携帯電話システムの構成を示すブロック図である。
【図４】本発明の第２の実施の形態の履歴データベース内の位置履歴テーブルの構成例の説明図である。
【図５】本発明の第２の実施の形態の、リングバックトーンによって着信側携帯電話機の位置を知らせる処理のシーケンス図である。
【図６】本発明の第２の実施の形態の、リングバックトーンによって着信側携帯電話機の位置を知らせる処理の変形例のシーケンス図である。
【図７】本発明の第３の実施の形態の携帯電話システムの構成を示すブロック図である。
【図８】本発明の第３の実施の形態の加入者データベース内の位置情報通知可否フラグテーブルの構成例の説明図である。
【図９】本発明の第３の実施の形態の加入者データベースへの登録処理のシーケンス図である。
【図１０】本発明の第３の実施の形態の、リングバックトーンによって着信側携帯電話機の位置を知らせる処理のシーケンス図である。
【発明を実施するための形態】
【００１１】
＜実施形態１＞
図１は、本発明の第１の実施の形態の携帯電話システムの構成を示すブロック図である。
【００１２】
本実施の形態の携帯電話システムは、交換機（ＭＳＣ）１０２、リングバックトーン再生装置１０３、位置測定装置１０４、及び、音声読み上げ装置１０５を備える。交換機１０２は、基地局（図示省略）を介して、発信側携帯電話機１０１及び着信側携帯電話機１０６に接続されている。
【００１３】
交換機１０２は、発信側携帯電話機１０１と着信側携帯電話機１０６とを接続する回線を設定する。
【００１４】
リングバックトーン再生装置１０３は、プロセッサ、メモリ及びインターフェースを備えるコンピューターであり、発信側携帯電話機１０１が発信し、着信側携帯電話機１０６が着信応答するまでの間、発信側携帯電話機１０１から発生する音楽、音声等の音響信号を生成する。このリングバックトーン再生装置１０３は、メモリに記憶されたプログラムをプロセッサが実行することによって機能する。
【００１５】
位置測定装置１０４は、プロセッサ、メモリ及びインターフェースを備えるコンピューターであり、携帯電話機１０１等からの要求に基づいて携帯電話機の位置（経度、緯度）を特定し、特定された位置の情報から地名を特定する。この位置測定装置１０４は、メモリに記憶されたプログラムをプロセッサが実行することによって機能する。本実施の形態の測位は、測位に必要な情報を位置測定装置１０４から携帯電話機１０１等に送信するアシスト方式を採用するが、携帯電話機が位置測定装置１０４の助けを受けることなく、単独で位置を測定してもよい。
【００１６】
音声読み上げ装置１０５は、プロセッサ、メモリ及びインターフェースを備えるコンピューターであり、入力されたテキストデータを音声データに変換する。例えば、位置測定装置１０４から出力された地名のテキストデータを音声データに変換し、リングバックトーン再生装置１０３に出力する。この音声読み上げ装置１０５は、メモリに記憶されたプログラムをプロセッサが実行することによって機能する。
【００１７】
図２は、第１の実施の形態の、リングバックトーンによって着信側携帯電話機１０６の位置を知らせる処理のシーケンス図である。
【００１８】
まず、発信者が、発信側携帯電話機１０１を用いて着信側携帯電話機１０６へ電話をかける。すると、発信側携帯電話機１０１は、ＭＳＣ１０２へ発信する（３０１）。発信３０１要求には、例えば、ＩＳＤＮで使用されるＮｏ．７共通線信号方式のユーザ部であるＩＳＵＰのＩＡＭメッセージ等を用いることができる。
【００１９】
その後、ＭＳＣ１０２は、着信側携帯電話機１０６に着信を通知し（３０３）、リングバックトーン再生装置１０３に再生要求を転送する（３０２）。再生要求３０２には、例えば、ＩＳＵＰのＩＡＭメッセージ等を用いることができる。
【００２０】
リングバックトーン再生装置１０３は、再生要求３０２を受信すると、再生要求３０２に含まれる着信側携帯電話機１０６の電話番号に基づいて位置測定要求を生成し、生成した位置測定要求を位置測定装置１０４に送信する（３０４）。この位置測定要求３０４によって、着信側携帯電話機１０６の位置を要求する。位置測定要求３０４には、例えば、ＯＭＡ（Ｏｐｅｎ  Ｍｏｂｉｌｅ  Ａｌｌｉａｎｃｅ）で規定されるＭＬＰ（Ｍｏｂｉｌｅ  Ｌｏｃａｔｉｏｎ  Ｐｒｏｔｏｃｏｌ）のＳＬＩＲメッセージ等を用いることができる。
【００２１】
位置測定装置１０４は、位置測定要求３０４を受信すると、着信側携帯電話機１０６に端末測位を要求する（３０５）。端末測位要求３０５には、例えば、ＯＭＡで規定されるＳＵＰＬ（Ｓｅｃｕｒｅ  Ｕｓｅｒ  Ｐｌａｎｅ  Ｌｏｃａｔｉｏｎ）のＳＵＰＬ  ＩＮＩＴメッセージ等を用いることができる。この測位が、基地局側がアシストするアシスト方式による場合、端末測位要求３０５には、観測可能なＧＰＳ衛星の識別子が含まれる。
【００２２】
着信側携帯電話機１０６は、端末測位要求３０５を受信すると、その位置を測定し、位置測定結果３０６を位置測定装置１０４に送信する。具体的には、着信側携帯電話機１０６は、位置測定演算によって、緯度、経度及び高さを算出し、算出された値（又は、測位計算に必要な情報）を含む位置測定結果を位置測定装置１０４に送信する（３０６）。
【００２３】
位置測定装置１０４は、位置測定結果３０６を受信すると、受信した緯度、経度を地名（例えば、住所、目標となる建物の名称）に変換する。
【００２４】
なお、着信側携帯電話機１０６が、緯度、経度及び高さを算出せず、位置測定結果３０６の代わりに測位計算に必要な情報を位置測定装置１０４に送信してもよい。例えば、位置測定に必要なデータ（例えば、ＧＰＳの疑似距離情報、無線ＬＡＮアクセスポイントの情報、Ｃｅｌｌ  ＩＤなどの基地局情報等）を位置測定装置１０４に送信することができる。
【００２５】
この場合、位置測定装置１０４は、位置測定装置１０４内に設けられた測位演算部によって、受信した測位計算に必要な情報に基づいて、測位演算をする（３０７）。例えば、測位計算に必要な情報としてＧＰＳ衛星との疑似距離を受信した場合、ＧＰＳ測位を行い、Ｃｅｌｌ  ＩＤを受信した場合、基地局の位置に基づく測位を行い、無線ＬＡＮアクセスポイントの情報を受信した場合、無線ＬＡＮアクセスポイントの位置に基づく測位を行う。位置測定装置１０４は、算出された測位結果（緯度、経度）を地名に変換する。
【００２６】
その後、位置測定装置１０４は、着信側携帯電話機１０６に測位終了を通知する（３０８）。測位終了通知３０８は、例えば、ＯＭＡ（Ｏｐｅｎ  Ｍｏｂｉｌｅ  Ａｌｌｉａｎｃｅ）で規定されているＳＵＰＬ（Ｓｅｃｕｒｅ  Ｕｓｅｒ  Ｐｌａｎｅ  Ｌｏｃａｔｉｏｎ）のＳＵＰＬ  ＥＮＤメッセージ等を利用することができる。
【００２７】
その後、位置測定装置１０４は、リングバックトーン再生装置１０３に測位結果を送信する（３０９）。この測位結果このメッセージ３０９は、位置測定要求３０４に対する応答である。測位結果３０９には、例えば、ＯＭＡ（Ｏｐｅｎ  Ｍｏｂｉｌｅ  Ａｌｌｉａｎｃｅ）で規定されているＭＬＰ（Ｍｏｂｉｌｅ  Ｌｏｃａｔｉｏｎ  Ｐｒｏｔｏｃｏｌ）のＳＬＩ  Ｒｅｓｐメッセージ等を用いることができる。
【００２８】
その後、リングバックトーン再生装置１０３は、音声読み上げ装置１０５に位置測定結果を送信する（３１０）。位置測定結果３１０は、測位によって取得した緯度、経度から求められた位置情報（例えば、住所、地名）のテキストデータを含む。
【００２９】
音声読み上げ装置１０５は、受信した位置測定結果３１０（位置情報データ）の位置情報データを音声合成し、音声データを生成する（３１１）。音声データのデータフォーマットは、例えば、Ｇ．７２６  ＡＤＰＣＭフォーマット等によってデジタル化された音データである。音声読み上げ装置１０５は、生成した音声データをリングバックトーン再生装置１０３に送信する（３１２）。
【００３０】
リングバックトーン再生装置１０３は、音声データ３１２を受信すると、ＭＳＣ１０２に応答する（３１３）。応答３１３には、例えば、ＩＳＵＰのＡＣＭメッセージ等を用いることができる。リングバックトーン再生装置１０３は、応答３１３を送信した後、発信側携帯電話機１０１に、受信した音声データ３１２を音源ファイルに用いて、リングバックトーンとして着信者の位置を再生する（３１４）。
【００３１】
発信側携帯電話機１０１は、リングバックトーン再生装置１０３によって再生されたリングバックトーン３１４、すなわち、着信側携帯電話機１０６の位置の情報を音響信号として出力する。
【００３２】
その後、着信側携帯電話機１０６が着信応答すると、ＭＳＣ１０２に着信応答を送信する（３１５）。ＭＳＣ１０２は、着信応答３１５を受信すると、リングバックトーン再生装置１０３に音声再生停止を要求する（３１６）。音声再生停止要求３１６には、例えば、ＩＳＵＰのＲＥＬメッセージなどを用いることができる。
【００３３】
図２では、着信側携帯電話機１０６が電話に応答する場合を例示したが、着信側携帯電話機１０６が着信応答せず、発信側携帯電話機１０１が電話を切る場合も基地局側の装置（ＭＳＣ１０２、リングバックトーン再生装置１０３、位置測定装置１０４、音声読み上げ装置１０５）は、同様のシーケンスで動作する。具体的には、発信側携帯電話機１０１は、オンフックすると、ＭＳＣ１０２に切断要求を含む応答をする。ＭＳＣ１０２は、切断要求を受信すると、リングバックトーン再生装置１０３に音声再生停止要求３１６を送信する。
【００３４】
また、図２では、位置測定装置１０４がリングバックトーン再生装置１０３に測位結果３０９を送信し、リングバックトーン再生装置１０３が音声読み上げ装置１０５に位置測定結果３１０を送信するシーケンスを例示したが、リングバックトーン再生装置１０３を経由することなく、位置測定装置１０４が音声読み上げ装置１０５に位置測定結果３０９を送信してもよい。
【００３５】
また、図２では、ＧＰＳシステムを用いて測位する例を示したが、ＧＰＳ、無線ＬＡＮ、携帯電話基地局等の情報のうち一つ又は複数の情報を用いてもよい。例えば、ＧＰＳシステムによる測位には時間がかかることから、最初は携帯電話システムのＣｅｌｌ  ＩＤを用いて着信側携帯電話機１０６の概略の位置を特定し、その後、ＧＰＳシステムを用いて着信側携帯電話機１０６の詳細な位置を特定する。Ｃｅｌｌ  ＩＤを用いた測位後、ＧＰＳシステムを用いた測位完了前は、着信側携帯電話機１０６の概略の位置がリングバックトーンとして送信される。また、ＧＰＳシステムを用いた測位が完了した後は、着信側携帯電話機１０６の詳細な位置がリングバックトーンとして送信される。
【００３６】
また、着信側携帯電話機１０６は、その位置が変化する無線電話機であれば、ＰＨＳ移動機、コードレス電話機、無線ＩＰ電話機でもよい。また、発信側電話機は、携帯電話機でなくても、リングバックトーンが再生できる固定電話機でもよい。
【００３７】
以上説明したように、第１の実施の形態の携帯電話システムによると、着信側携帯電話機１０６の位置をリングバックトーンを用いて音声にて発信側携帯電話機１０１に伝えることができる。すなわち、電話をかけて来た相手に、自動的に自分の居場所を教えることができる。
【００３８】
また、既存の第三者測位システムのように特別な操作を必要とせず、電話をかけるだけで、着信側携帯電話機の位置を特定することができる。さらに、位置と再生する音声（又は、音楽）との対応表を予め作成せずに、自分の居場所を発信者に教えることができる。
【００３９】
＜実施形態２＞
図３は、本発明の第２の実施の形態の携帯電話システムの構成を示すブロック図である。
【００４０】
第２の実施の形態の携帯電話システムは、交換機（ＭＳＣ）１０２、リングバックトーン再生装置１０３、位置測定装置１０４、音声読み上げ装置１０５、履歴データベース４０１、及び、加入者データベース４０２を備える。なお、加入者データベース４０２に代えて（又は、加入者データベース４０２と共に）、ホームロケーションレジスタ４０３を備えてもよい。また、前述した第１の実施の形態と同じ構成には同じ符号を付し、その構成及び機能の詳細の説明は省略する。
【００４１】
履歴データベース４０１は、位置測定装置１０４が取得した携帯電話機の位置を登録する。履歴データベース４０１の構成は、図４を用いて説明する。ホームロケーションレジスタ４０３は、携帯電話機１０１、１０６が位置登録をしている基地局（当該基地局が属する位置登録エリア、一斉呼出しエリア）が登録されるデータベースである。
【００４２】
図４は、履歴データベース４０１内の位置履歴テーブルの構成例の説明図である。
【００４３】
位置履歴テーブルは、電話番号７１Ａ、日時７１Ｂ及び位置情報７１Ｃを含む。
【００４４】
電話番号７１Ａは、携帯電話機の電話番号を格納する。日時７１Ｂは、携帯電話機が位置を測定した時刻を格納する。位置情報７１Ｃは、位置測定の結果（例えば、緯度、経度、高さ）を格納する。なお、履歴データベース４０１は、日時が最も新しい位置測定の結果のみを格納してもよい。
【００４５】
図５は、第２の実施の形態の、リングバックトーンによって着信側携帯電話機１０６の位置を知らせる処理のシーケンス図である。
【００４６】
第２の実施の形態では、着信側携帯電話機１０６が圏外又は電源が切れている場合に着信側携帯電話機１０６の過去の位置情報（最後に取得した位置情報）を発信側携帯電話機１０１に伝える。
【００４７】
発信３０１から位置測定要求３０５までの一連の処理は、前述した第１の実施の形態のシーケンス（図２）と同じである。
【００４８】
着信側携帯電話機１０６が圏外又は電源が切れている場合、着信側携帯電話機１０６は、位置測定要求３０５に対して応答３０６をしない。位置測定装置１０４は、位置測定要求３０５を送信してから応答３０６を受信するまでの時間を測定する。このため、位置測定装置１０４は、所定時間を超えても応答３０６を受信しない場合、タイムアウトと判定し（５０４）、着信側携帯電話機１０６に測位終了通知３０８を送信する。その後、位置測定装置１０４は履歴ＤＢ４０１に過去の位置取得を要求する（５０１）。この位置取得要求５０１には、着信側携帯電話機１０６の電話番号が含まれる。
【００４９】
履歴ＤＢ４０１は要求された電話番号をキーとしてデータベースを検索し、検索結果の中から日時７１Ｂが最も新しい位置情報７１Ｃを該当携帯電話機の過去の位置であると判定し、位置測定装置１０４に応答する（５０２）。履歴ＤＢ４０１は、検索された該当携帯電話機の過去の位置を、日時７１Ｂによってフィルタリングしてもよい。例えば、検索された過去の位置が所定の範囲外（例えば、２時間以上前）に取得された場合、この位置を無効とし、該当携帯電話機の位置は不明であると判定することができる。
【００５０】
なお、着信側携帯電話機１０６が位置測定要求３０５に対して応答３０６をした場合の処理は、前述した第１の実施の形態のシーケンス（図２）と同じである。
【００５１】
また、履歴ＤＢ４０１に代えて、ホームロケーションレジスタ４０３を用いてもよい。ホームロケーションレジスタ４０３には、基地局に位置登録をしていない携帯電話機について、最後に位置登録をされた基地局の情報が格納されているので、この基地局の情報から該当携帯電話機の位置を判定することができる。
【００５２】
その後、測位結果の代わりに過去の位置を用いて、発信側携帯電話機１０１にリングバックトーン５０３を送信する（３０９〜３１６）。この処理は、前述した第１の実施の形態のシーケンス（図２）と同じである。
【００５３】
なお、位置測定装置１０４は、着信側携帯電話機１０６から送信された測位結果３０６が正常であるか、異常（不正）であるかを判定してもよい（５０５）。この結果、測位結果が不正であると判定された場合（例えば、測位結果が所定の範囲（サービスエリア）外である、測位結果が地球上に存在しない場合等）も、位置測定装置１０４は、着信側携帯電話機１０６に測位終了通知３０８を送信し、履歴ＤＢ４０１から過去の位置を取得する（５０１、５０２）。
【００５４】
次に、第２の実施の形態の変形例について説明する。
【００５５】
図６は、第２の実施の形態の、リングバックトーンによって着信側携帯電話機１０６の位置を知らせる処理の変形例のシーケンス図である。
【００５６】
図６に示す変形例では、ＭＳＣ１０２は、着信側携帯電話機１０６の状態が圏外であるか、電源未投入の状態であるかを判定し（６０１）、判定された着信側携帯電話機１０６の状態を再生要求メッセージに含めてリングバックトーン再生装置１０３に送信する。
【００５７】
すなわち、着信側携帯電話機１０６の電源が投入されており、かつ、圏内であると判定された場合、着信側携帯電話機１０６と通信が可能なので、通常の再生要求メッセージ３０２をリングバックトーン再生装置１０３に送信する。その後の処理は、前述した第１の実施の形態のシーケンス（図２の３０４〜３１６）と同じである。
【００５８】
一方、着信側携帯電話機１０６が圏外である、又は、電源が投入されていないと判定された場合、圏外である旨の判定結果を含む再生要求メッセージをリングバックトーン再生装置１０３に送信する（６０２）。再生要求メッセージ６０２にＩＳＵＰのＩＡＭメッセージ等を用いた場合、例えば、電源未投入の状態であるか否かの情報についてはＩＡＭのオプションパラメータを利用することができる。
【００５９】
リングバックトーン再生装置１０３は、再生要求メッセージ６０２によって、着信側携帯電話機１０６の状態を判定し、着信側携帯電話機１０６の状態が圏外又は電源未投入の状態である場合、位置測定装置１０４に対して、過去の位置の測定を要求する（６０３）。
【００６０】
位置測定装置１０４は、過去の位置測定要求（６０３）を受信すると、履歴ＤＢ４０１に過去の位置の取得を要求し（５０１）、着信側携帯電話機１０６の過去の位置を取得する（５０２）。
【００６１】
その後、測位結果の代わりに過去の位置を用いて、発信側携帯電話機１０１にリングバックトーン５０３を送信する（３０９〜３１６）。この処理は、前述した第１の実施の形態のシーケンス（図２）と同じである。
【００６２】
以上説明したように、第２の実施の形態の携帯電話システムによると、第１の実施の形態の効果に加え、着信側携帯電話機１０６が圏外である又は電源が切れている場合でも、着信側携帯電話機１０６の過去の位置情報を発信側携帯電話機１０１に伝えることができる。
【００６３】
＜実施形態３＞
図７は、第３の実施の形態の携帯電話システムの構成を示すブロック図である。
【００６４】
第２の実施の形態の携帯電話システムは、交換機（ＭＳＣ）１０２、リングバックトーン再生装置１０３、位置測定装置１０４、音声読み上げ装置１０５、及び、加入者データベース４０２を備える。なお、前述した第１の実施の形態と同じ構成には同じ符号を付し、その構成及び機能の詳細の説明は省略する。
【００６５】
加入者データベース４０２は、加入者毎のリングバックトーンの設定を格納する。
【００６６】
図８は、加入者データベース４０２内の位置情報通知可否フラグテーブルの構成例の説明図である。
【００６７】
位置情報通知可否フラグテーブルは、発信側電話番号９１Ａ、着信側電話番号９１Ｂ及び位置情報通知可否フラグ９１Ｃを含む。
【００６８】
発信側電話番号９１Ａは、発信側携帯電話機１０１の電話番号を格納する。着信側電話番号９１Ｂは、着信側携帯電話機１０６の電話番号を格納する。位置情報通知可否フラグ９１Ｃは、着信側電話番号９１Ｂが発信側電話番号９１Ａに対して自分の位置を通知するか否かを表すフラグである。
【００６９】
すなわち、加入者データベース４０２は、発信側携帯電話機１０１と着信側携帯電話機１０６との組み合わせにおいて、着信側携帯電話機１０６の位置を発信側携帯電話機１０１に通知するか否かの情報を格納する。
【００７０】
図９は、第３の実施の形態の加入者ＤＢ４０２への登録処理のシーケンス図であり、図１０は、第３の実施の形態の、リングバックトーンによって着信側携帯電話機１０６の位置を知らせる処理のシーケンス図である。
【００７１】
第３の実施の形態では、着信側携帯電話機１０６の所有者が、発信側携帯電話機１０１によって、自分の位置を知らせるか又は知らせないかを設定することができる。このため、着信側携帯電話機１０６の所有者は、着信を受ける前に、どの発信者へ位置を通知し、どの発信者へ位置情報を通知しないかを、加入者ＤＢ４０２に登録する。
【００７２】
まず、図９を用いて、加入者ＤＢ４０２への登録処理について説明する。
【００７３】
着信側携帯電話機１０６は、リングバックトーン再生装置１０３に位置情報通知可否設定を要求する（８０１）。
【００７４】
リングバックトーン再生装置１０３は、位置情報通知可否設定要求８０１を受信すると、受信した位置情報通知可否設定要求８０１をデータベースを操作するためのフォーマット（例えば、ＳＱＬ）へ変換し、変換された情報を含む位置情報通知可否フラグ設定要求を加入者ＤＢ４０２に送信する（８０２）。
【００７５】
加入者ＤＢ４０２は、受信した位置情報通知可否フラグ設定要求８０２に従って、加入者ＤＢ４０２へデータを登録する。その後、加入者ＤＢ４０２は、位置情報通知可否フラグ設定要求８０２に対する応答として位置情報通知可否フラグ設定応答をリングバックトーン再生装置１０３に送信する（８０３）。
【００７６】
リングバックトーン再生装置１０３は、位置情報通知可否フラグ設定応答８０３を受信すると、着信側携帯電話機１０６に位置情報可否設定応答を送信する（８０４）。
【００７７】
具体的には、リングバックトーン再生装置１０３は、ｈｔｔｐプロトコルによる位置情報通知可否設定要求８０１を受け付けることができるように、Ｗｅｂサーバを備えるとよい。この場合、位置情報通知可否設定要求８０１には、ｈｔｔｐプロトコルを用いることができる。これにより、着信側携帯電話機１０６の所有者は、リングバックトーン再生装置１０３から提供されるＷｅｂ画面を用いて、どの発信者へ位置情報を通知するか、通知しないかを登録することができる。
【００７８】
次に、図１０を用いて、着信側携帯電話機１０６の位置を発信側携帯電話機１０１に知らせる処理について説明する。
【００７９】
まず、発信者が、発信側携帯電話機１０１を用いて着信側携帯電話機１０６へ電話をかける。すると、発信側携帯電話機１０１は、ＭＳＣ１０２へ発信する（３０１）。発信３０１には、例えば、ＩＳＤＮで使用されるＮｏ．７共通線信号方式のユーザ部であるＩＳＵＰのＩＡＭメッセージ等を用いることができる。
【００８０】
その後、ＭＳＣ１０２は、着信側携帯電話機１０６に着信を通知し（３０３）、リングバックトーン再生装置１０３に再生要求を転送する（３０２）。再生要求３０２には、例えば、ＩＳＵＰのＩＡＭメッセージ等を用いることができる。
【００８１】
リングバックトーン再生装置１０３は、再生要求３０２を受信すると、再生要求３０２に含まれている着信側携帯電話機１０６の電話番号及び発信側携帯電話機１０１の電話番号に基づいて、位置通知判定要求を生成し、生成した位置通知判定を加入者ＤＢ４０２に要求する（８０５）。
【００８２】
加入者ＤＢ４０２は、位置通知判定要求８０５を受信すると、着信側携帯電話機１０６の電話番号及び発信側携帯電話機１０１の電話番号をキーとしてデータベースを検索し、検索の結果（位置情報通知可否フラグ９１Ｃ）を含む位置通知可否結果を、リングバックトーン再生装置１０３に応答する（８０６）。
【００８３】
リングバックトーン再生装置１０３は、位置通知可否結果８０６を受信すると、受信した位置通知可否結果８０６に基づいて、発信側携帯電話機１０１に着信側携帯電話機１０６の位置を通知可能か否かを判定する（８０８）。
【００８４】
その結果、発信側携帯電話機１０１に位置を通知しないと判定された場合、リングバックトーン再生装置１０３は、ＭＳＣ１０２に応答し（３１３）、位置情報の音声ではなく通常のリングバックトーンを再生する（８０７）。以後の処理（３１５〜３１６）は、前述した第１の実施の形態のシーケンス（図２）と同じである。
【００８５】
一方、発信側携帯電話機１０１に位置を通知すると判定された場合、位置測定要求を位置測定装置１０４に送信し（３０４）、リングバックトーンとして着信者の位置を再生する（３１４）。これらの処理（３０４〜３１４）は、前述した第１の実施の形態のシーケンス（図２）と同じである。
【００８６】
以上説明した第３の実施の形態は、第１の実施の形態の携帯電話システムのみならず、第２の実施の形態の携帯電話システムに適用することもできる。
【００８７】
以上説明したように、第３の実施の形態の携帯電話システムによると、第１の実施の形態の効果に加え、着信側携帯電話機１０６が、自分の位置を伝えたくない発信側携帯電話１０１へ位置を伝えないように制御することができる。
【符号の説明】
【００８８】
１０１  発信側携帯電話機
１０２  交換機（ＭＳＣ）
１０３  リングバックトーン再生装置
１０４  位置測定装置
１０５  音声読み上げ装置
１０６  着信側携帯電話機
【図１】
2011244299.tif 000003
【図２】
2011244299.tif 000004
【図３】
2011244299.tif 000005
【図４】
2011244299.tif 000006
【図５】
2011244299.tif 000007
【図６】
2011244299.tif 000008
【図７】
2011244299.tif 000009
【図８】
2011244299.tif 000010
【図９】
2011244299.tif 000011
【図１０】
2011244299.tif 000012